(57)【要約】【課題】ディマー機能を有する表示装置において、周囲の光量に関わらず、簡易な操作によって、表示部の輝度が最小になる画面を表示可能にする。【解決手段】画質調整画面上で、レベルインジケータバー１４のＤＩＭバーの操作により、操作表示部６の最小の輝度レベルが指定されると、マイクロコンピュータ１は、その指定された輝度レベルに基づいて、操作表示部６の輝度の最小値を設定する。画質調整画面上でディマーテストキー１５がタッチ指示されると、マイクロコンピュータ１は、光センサ２による光量検出を停止させ、操作表示部６の輝度を最小値に設定する。バックライト制御部５は、操作表示部６の輝度を最小にするように、バックライト部６１の駆動電圧を制御する。【選択図】　　　　　図３
2004133248.tif 000002
【特許請求の範囲】
【請求項１】
外光の光量を検出する光センサと、前記光センサから検出された光量に応じて表示部の輝度を制御する輝度制御部と、を備える表示制御装置において、
前記表示部の輝度の最小値を設定する設定部と、
輝度を最小値としたときの画面の表示を指示する操作指示部と、
前記操作指示部による表示指示に従って、前記光センサによる光量検出を停止させるセンサ制御部と、を備え、
前記操作指示部による表示指示に従って、前記輝度制御部は、前記設定部により設定された輝度の最小値に基づいて、前記表示部の輝度を制御することを特徴とする表示制御装置。
【請求項２】
外光の光量を検出する検出工程と、前記検出工程において検出された光量に応じて表示部の輝度を制御する輝度制御工程と、を含む表示制御方法において、
前記表示部の輝度の最小値を設定する設定工程と、
輝度を最小値としたときの画面の表示を指示する操作指示工程と、
前記操作指示工程による表示指示に従って、前記検出工程による光量検出を停止させるセンサ制御工程と、を含み、
前記操作指示工程による表示指示に従って、前記輝度制御工程において、前記設定工程により設定された輝度の最小値に基づいて、前記表示部の輝度が制御されることを特徴とする表示制御方法。
【発明の詳細な説明】
【０００１】
【発明の属する技術分野】
本発明は、表示制御装置及び表示制御方法に関する。
【０００２】
【従来の技術】
近年、テレビ装置、オーディオビジュアル装置、ナビゲーション装置等のモニタ表示部を有する装置には、周囲の明るさに応じて、モニタ表示部の画面の明るさ（輝度）を自動的に調整するディマー機能が搭載されてきている（例えば、特許文献１及び特許文献２参照。）。このようなディマー機能を有する装置は、光センサによって周囲の光量を検出し、検出光量が多くなるほどモニタ表示部の輝度（以下、モニタ輝度と称す。）が高くなるように輝度調整を行っている。最近では、モニタ輝度の最大値や最小値を、ユーザが希望する値に設定することが可能なものがある。
【０００３】
【特許文献１】
特開平１０−２３３５３号公報
【特許文献２】
特開２００１−３４６１２８号公報
【０００４】
【発明が解決しようとする課題】
しかしながら、従来のディマー機能を有する装置にあっては、光センサが作動している限り、モニタ表示部の画面が周囲の光量に見合った輝度で表示されるため、周囲が明るい環境（昼間等）の下でモニタ輝度の最小値を変更しても、モニタ輝度が最小の暗い画面（以下、ディマー画面と称す。）を表示することができなかった。従って、ユーザは、周囲が明るい環境の下では、モニタ輝度の最小値を変更したことによる効果を即座に視認することができないという問題があった。
【０００５】
この問題を回避するためには、周囲が明るい環境の下でディマー画面を表示させるべく、ユーザが光センサを手で覆うなどして、光センサから検出される光量を擬似的に下げるしかない。しかしながら、このように光センサを手で覆いながらモニタ輝度の設定（変更）作業を行うのは、ユーザにとって面倒であるという問題があった。
【０００６】
本発明の課題は、ディマー機能を有する装置において、周囲の光量に関わらず、簡易な操作によって、表示部の輝度が最小になる画面を表示可能にすることである。
【０００７】
【課題を解決するための手段】
上記課題を解決するために、本発明は、外光の光量を検出する光センサと、前記光センサから検出された光量に応じて表示部の輝度を制御する輝度制御部と、を備える表示制御装置において、前記表示部の輝度の最小値を設定する設定部と、輝度を最小値としたときの画面の表示を指示する操作指示部と、前記操作指示部による表示指示に従って、前記光センサによる光量検出を停止させるセンサ制御部と、を備え、前記操作指示部による表示指示に従って、前記輝度制御部は、前記設定部により設定された輝度の最小値に基づいて、前記表示部の輝度を制御することを特徴としている。
【０００８】
また、本発明は、外光の光量を検出する検出工程と、前記検出工程において検出された光量に応じて表示部の輝度を制御する輝度制御工程と、を含む表示制御方法において、前記表示部の輝度の最小値を設定する設定工程と、輝度を最小値としたときの画面の表示を指示する操作指示工程と、前記操作指示工程による表示指示に従って、前記検出工程による光量検出を停止させるセンサ制御工程と、を含み、前記操作指示工程による表示指示に従って、前記輝度制御工程において、前記設定工程により設定された輝度の最小値に基づいて、前記表示部の輝度が制御されることを特徴としている。
【０００９】
【発明の実施の形態】
以下、図を参照して本発明の実施の形態を詳細に説明する。
まず、構成を説明する。
【００１０】
図１は、本発明の実施の形態に係るナビゲーション装置１００の主要部構成を示すブロック図である。ナビゲーション装置１００は、図１に示すように、マイクロコンピュータ１、光センサ部２、Ａ／Ｄコンバータ３、操作入力部４、バックライト制御部５、操作表示部６、タイマー部７、メモリ部８、地図情報記憶部９、ナビゲーション部１０、ＴＶ（Ｔｅｌｅｖｉｓｉｏｎ）部１１及びスピーカ部１２等により構成される。
【００１１】
マイクロコンピュータ１は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等により構成される。ＣＰＵ１は、ＲＯＭに記憶されている各種制御プログラム、すなわち、本発明に係るナビゲーション装置１００の各部の制御、モニタ輝度の設定制御、センサ制御等の制御プログラムとの協働により統括的制御を実行する。ＲＯＭは、ＣＰＵにより実行される各種制御プログラム及びこれらの制御プログラムの実行時に利用されるデータ等を記憶する。ＲＡＭは、ＣＰＵにより実行される各種制御プログラム、入力データ及びプログラム実行処理における処理結果等の各種データをワークメモリに一時的に格納する。以下、マイクロコンピュータ１による各制御動作の詳細を説明する。
【００１２】
マイクロコンピュータ１は、ナビゲーション部１０から出力された情報及び地図情報記憶部９に記憶されている地図情報データに基づいて、車両の現在位置と地図データの道路形状とをマッチングさせて、操作表示部６に地図画面を表示させるとともに、その地図画面上に車両の現在位置を表示させる（以下、この複合表示画面をナビゲーション画面と称す。）。
【００１３】
また、マイクロコンピュータ１は、Ａ／Ｄコンバータ３から周辺光量のデジタル信号（デジタル光量信号）が入力されると、メモリ部８に格納された輝度変化曲線１３（後述）から、その周辺光量に対応するモニタ輝度を読み取り、その読み取ったモニタ輝度を目標値として設定する。ここで、周辺光量とは、光センサ２によって検出される、ナビゲーション装置１００の周囲（周辺）の光量を指す。そして、マイクロコンピュータ１は、その設定した目標値と、操作表示部６の現在のモニタ輝度に基づいて減光量を算出し、その減光量のデータをバックライト制御部５に出力する（図４参照）。
【００１４】
更に、マイクロコンピュータ１は、操作表示部６に、ナビゲーション画面やＴＶ画面が表示されているときに、操作入力部４の画質調整キーの操作信号が入力されると、そのナビゲーション画面上やＴＶ画面上に、画質調整画面（図３参照）を表示させるための信号をバックライト制御部５及び操作表示部６に出力する。
【００１５】
画質調整画面は、図３に示すように、画質を調整するためのレベルインジケータバー１４と、ディマーテストの開始を指示するためのディマーテストキー１５（「ＤＩＭ　ＴＥＳＴ」）から構成される。
【００１６】
レベルインジケータバー１４は、モニタ輝度（ｂｒｉｇｈｔｎｅｓｓ）の最大値を調整するためのＢＲＴバー、色合い（ｔｉｎｔ）を調整するためのＴＩＮバー、色（ｃｏｌｏｒ）の濃さを調整するためのＣＯＬバー、コントラスト（ｃｏｎｔｒａｓｔ）を調整するためのＣＯＮＴバー、ブラック（ｂｌａｃｋ）レベルを調整するためのＢＬＫバー及びモニタ輝度の最小値を調整するためのＤＩＭバーから構成される。レベルインジケータバー１４を構成するこれらの各バーには、１１個のインジケータ（インジケータ１〜インジケータ１１）が表示され、調整レベルが１１段階で表示可能になっている。また、レベルインジケータバー１４を構成する各バーには、調整レベルの増減を指示するための増減キーが表示されている。
【００１７】
なお、本実施の形態では、操作表示部６のモニタ輝度が３０段階（輝度レベル１〜輝度レベル３０）で調整可能であるものとする。例えば、輝度レベル１は、操作表示部６が表示可能な最小のモニタ輝度を示し、輝度レベル３０は、操作表示部６が表示可能な最大のモニタ輝度を示す。各輝度レベルには、インジケータＮｏ．が割り当てられている。例えば、輝度レベル１、２をインジケータ１、輝度レベル３〜５をインジケータ２、輝度レベル６〜８をインジケータ３、…、輝度レベル２７〜２９をインジケータ１０、輝度レベル３０をインジケータ１１のように割り当てると、レベルインジケータバー１４には、モニタ輝度が１１段階で表示可能になる。増減キーがタッチされる毎に、モニタ輝度は輝度レベル１から３０までの範囲を１段階ずつ変化するが、インジケータによる輝度レベルの表示は、インジケータ１から１１までの範囲を上述の割り当てに従って変化する。
【００１８】
また、マイクロコンピュータ１は、画質調整画面上のＢＲＴバーやＤＩＭバーの操作によってモニタ輝度の最大値や最小値のデータが入力されると、その入力データに基づいて、モニタ輝度の最大値又は／及び最小値を設定し、図２に示すような、周辺光量とモニタ輝度の関係を示す輝度変化曲線１３を決定する。そして、マイクロコンピュータ１は、その決定された輝度変化曲線１３をメモリ部８に格納する（図２参照）。
【００１９】
図２の輝度変化曲線１３において、Ｂｍａｘは、画質調整画面上のＢＲＴバーの操作によって設定されたモニタ輝度の最大値を示し、Ｂｍｉｎは、画質調整画面上のＤＩＭバーの操作によって設定されたモニタ輝度の最大値を示す。なお、図２の輝度変化曲線１３では、周辺光量とモニタ輝度が比例関係（１次関数）にある場合を示しているが、輝度変化曲線１３が示す関数はこれに限定されず、周辺光量の増加につれて、モニタ輝度が高くなるような関数であればよい。
【００２０】
更に、マイクロコンピュータ１は、画質調整画面上のディマーテストキー１５の操作信号が入力されると、光センサ部２による光量検出を停止させる。また、このとき、マイクロコンピュータ１は、メモリ部８に格納された輝度変化曲線１３から、モニタ輝度の最小値Ｂｍｉｎを読み取る。そして、マイクロコンピュータ１は、その読み取った最小値Ｂｍｉｎをモニタ輝度の目標値として設定する。次いで、マイクロコンピュータ１は、目標値であるモニタ輝度Ｂｍｉｎと、操作表示部６の現在のモニタ輝度に基づいて減光量を算出し、その減光量のデータをバックライト制御部５に出力する（図５参照）。以下、モニタ輝度が最小となる場合の画面をディマー画面と称す。
【００２１】
また、マイクロコンピュータ１は、ディマー画面の表示が開始されると、ディマー画面の表示時間の計時を指示する信号をタイマー部７に出力する。タイマー部７から、表示時間の計時の終了信号が入力されると、マイクロコンピュータ１は、ディマー画面の表示の終了を指示する信号をバックライト制御部５に出力する。
【００２２】
図１において、光センサ部２は、ナビゲーション装置１００周辺の光量を検出し、その検出された光量に応じたアナログ信号（アナログ光量信号）をＡ／Ｄコンバータ３に出力する。
【００２３】
Ａ／Ｄコンバータ３は、光センサ部２から入力されたアナログ光量信号をデジタル信号（デジタル光量信号）に変換し、マクロコンピュータ１に出力する。
【００２４】
操作入力部４は、ナビゲーション動作等を指定するための各種キー、操作表示部６の画質を調整する画面（画質調整画面）の表示を指示するための画質調整キー等のハードキー釦を備えており、これらのキー操作による操作信号をマイクロコンピュータ１に出力する。ここで、ハードキー釦とは、ナビゲーション装置１００の操作表示部６の筐体に物理的に取り付けられた構成のキー釦を指す。なお、操作入力部４は、リモートコントローラ等の入力装置を備える構成としてもよい。
【００２５】
バックライト制御部５は、マイクロコンピュータ１から入力される減光量データに基づいて、バックライト部６１を駆動するためのＰＷＭ（Ｐｕｌｓｅ　Ｗｉｄｔｈ　Ｍｏｄｕｌａｔｉｏｎ）信号のデューティ比を設定する。そして、バックライト制御部５は、その設定されたデューティ比を有するＰＷＭ信号を生成し、バックライト部６１の駆動電圧を制御する（図４参照）。
【００２６】
操作表示部６は、バックライト部６１、モニタ表示部６２及びタッチパネル６３を備えている。
【００２７】
バックライト部６１は、ＬＥＤ（Ｌｉｇｈｔ　Ｅｍｉｔｔｉｎｇ　Ｄｉｏｄｅ）等により構成され、モニタ表示部６２の背面に配置されている。バックライト部６１は、バックライト制御部５から供給される駆動電圧に応じて、モニタ表示部６２に光を照射する。
【００２８】
モニタ表示部６２は、ＬＣＤ（Ｌｉｑｕｉｄ　Ｃｒｙｓｔａｌ　Ｄｉｓｐｌａｙ）により構成され、マイクロコンピュータ１から入力される表示信号に従って、所要の表示処理を行う。
【００２９】
タッチパネル６３は、モニタ表示部６２の画面上を覆うように重畳して設けられ、電磁誘導式、磁気歪式、感圧式等の座標読み取り原理でタッチ指示された座標を検出し、検出した座標を位置信号としてマイクロコンピュータ１に出力する。
【００３０】
タイマー部７は、マイクロコンピュータ１からの制御信号に従って、タイマー値（例えば、５秒間）を設定するとともに、タイマー値が設定された時点からの経過時間を計時し、経過時間が当該タイマー値に達した時、計時が終了した旨を通知する終了信号をマイクロコンピュータ１に出力する。
【００３１】
メモリ部８は、図２に示すように、周辺光量とモニタ輝度の関係を示す輝度変化曲線１３のデータを格納する。地図情報記憶部９は、車の経路案内に必要な地図情報データを記憶している。
【００３２】
ナビゲーション部１０は、ＧＰＳ（Ｇｌｏｂａｌ　Ｐｏｓｉｔｉｏｎｉｎｇ　Ｓｙｓｔｅｍｓ）ユニット及び自律航法ユニット等を備える。ＧＰＳユニットは、ＧＰＳアンテナを有し、ＧＰＳアンテナを介して、地球低軌道に打ち上げられた複数のＧＰＳ衛星のうちの少なくとも３個のＧＰＳ衛星から送信されるＧＰＳ信号を受信する。ＧＰＳユニットは、受信されたＧＰＳ信号に基づいて、車両の現在位置（緯度、経度）を検出してマイクロコンピュータ１に出力する。自律航法ユニットは、角度センサ、距離センサ等を備えている。角度センサは、車両の角速度を検出して、移動方位の変化量を算出する。距離センサは、車輪の回転に応じて出力されるパルス信号を検出して、車両の移動量を算出する。自律航法ユニットは、これら角速度信号及びパルス信号により、車両の相対的な位置変化を算出してマイクロコンピュータ１に出力する。
【００３３】
ＴＶ部１１は、ＴＶアンテナに接続され、ＴＶアンテナにより受信されたテレビ放送用電波の中から、操作入力部４やタッチパネル６３によって指定されたチャンネルの放送電波を抽出し、マイクロコンピュータ１から入力される制御信号に従って、放送内容である映像信号、音声信号を、それぞれ、モニタ表示部６２、スピーカ部１２に出力する。
【００３４】
スピーカ部１２は、ＴＶ部１１から入力された音声信号を増幅回路（図示略）で増幅し、外部に出力する。
【００３５】
次に、本実施の形態の動作を説明する。
まず、図４のフローチャートを参照して、ナビゲーション装置１００において実行される輝度制御処理について説明する。
【００３６】
まず、光センサ２は、周辺光量を検出し（ステップＳ１）、Ａ／Ｄコンバータ３にアナログ光量信号を出力する。Ａ／Ｄコンバータ３は、アナログ光量信号をデジタル光量信号に変換し、マイクロコンピュータ１に出力する。
【００３７】
マイクロコンピュータ１は、Ａ／Ｄコンバータ３からデジタル光量信号が入力されると、メモリ部８に格納された輝度変化曲線１３から、その周辺光量に対応するモニタ輝度を読み取り、その読み取ったモニタ輝度を目標値として設定する（ステップＳ２）。
【００３８】
次いで、マイクロコンピュータ１は、ステップＳ２において設定した目標値と、操作表示部６の現在のモニタ輝度に基づいて減光量を算出し（ステップＳ３）、その減光量のデータをバックライト制御部５に出力する。
【００３９】
バックライト制御部５は、マイクロコンピュータ１から入力される減光量データに基づいて、バックライト部６１を駆動するためのＰＷＭ信号のデューティ比を設定する（ステップＳ４）。
【００４０】
次いで、バックライト制御部５は、ステップＳ４で設定されたデューティ比を有するＰＷＭ信号を生成し、そのＰＷＭ信号に従ってバックライト部６１の駆動電圧を制御する（ステップＳ５）。
【００４１】
次に、図５のフローチャートを参照して、ナビゲーション装置１００において実行されるディマーテスト処理について説明する。
【００４２】
操作表示部６に、ナビゲーション画面が表示されているものとする。マイクロコンピュータ１は、操作表示部６にナビゲーション画面が表示されているときに、操作入力部４の画質調整キーの押下による操作信号が入力されると（ステップＳ１０；ＹＥＳ）、そのナビゲーション画面上に、画質調整画面を表示させる（ステップＳ１１）。
【００４３】
画質調整画面上のＢＲＴバー及び／又はＤＩＭバーが操作され（ステップＳ１２；ＹＥＳ）、タッチパネル６３から、モニタ輝度の最大及び／又は最小の輝度レベルのデータが入力されると、マイクロコンピュータ１は、入力されたデータに基づいて、モニタ輝度の最大値Ｂｍａｘ又は／及び最小値Ｂｍｉｎを設定し、輝度変化曲線１３を決定する（ステップＳ１３）。そして、マイクロコンピュータ１は、その輝度変化曲線１３のデータをメモリ部８に格納する。ステップＳ１２において、ＢＲＴバーやＤＩＭバーが操作されない場合は（ステップＳ１２；ＮＯ）、ステップＳ１４に移行する。
【００４４】
画質調整画面上の「ＤＩＭ　ＴＥＳＴ」キーがタッチ指示され、タッチパネル６３からディマーテストキー１５の操作信号が入力されると（ステップＳ１４；ＹＥＳ）、マイクロコンピュータ１は、光センサ部２による光量検出を停止させる（ステップＳ１５）。ステップＳ１４におけるディマーテストキーのタッチ指示があるまでは（ステップＳ１４；ＮＯ）、ステップＳ１２〜Ｓ１４の工程が繰り返される。
【００４５】
マイクロコンピュータ１は、光センサ部２による光量検出を停止させると、メモリ部８に格納された輝度変化曲線１３から、モニタ輝度の最小値Ｂｍｉｎを読み取り、その読み取った最小値Ｂｍｉｎをモニタ輝度の目標値として設定する（ステップＳ１６）。
【００４６】
そして、マイクロコンピュータ１は、目標値であるモニタ輝度Ｂｍｉｎと、操作表示部６の現在のモニタ輝度に基づいて減光量を算出し（ステップＳ１７）、その減光量のデータをバックライト制御部５に出力する。
【００４７】
バックライト制御部５は、マイクロコンピュータ１から入力される減光量データに基づいて、バックライト部６１を駆動するためのＰＷＭ信号のデューティ比を設定する（ステップＳ１８）。
【００４８】
次いで、バックライト制御部５は、ステップＳ１８で設定されたデューティ比を有するＰＷＭ信号を生成し、そのＰＷＭ信号に従ってバックライト部６１の駆動電圧の制御を開始する（ステップＳ１９）。バックライト制御部５は、バックライト部６１の制御を開始したことを通知する信号をマイクロコンピュータ１に出力する。
【００４９】
マイクロコンピュータ１は、バックライト制御部５によるバックライト部６１の制御が開始されて、ディマー画面の表示が開始されると、ディマー画面の表示時間の計時を指示する信号をタイマー部７に出力する。タイマー部７は、マイクロコンピュータ１から入力された信号に従って、計時を開始する。本実施の形態では、タイマー部７は、５秒間計時するものとする。
【００５０】
マイクロコンピュータ１に、タイマー部７から、表示時間の計時の終了信号が入力されない限り（ステップＳ２０；ＮＯ）、ディマー画面の表示は継続される。
【００５１】
ディマー画面の表示が開始されてから５秒経過し、タイマー部７から、表示時間の計時の終了信号が入力されると（ステップＳ２０；ＹＥＳ）、マイクロコンピュータ１は、ディマー画面の表示の終了を指示する信号をバックライト制御部５に出力するとともに、光センサ部２による光量検出を再開させる。
【００５２】
以上のように、本実施の形態のナビゲーション装置１００によれば、ナビゲーション装置１００の周囲の光量に関わらず、画質調整画面上のディマーテストキー１５をタッチ指示するという簡易な操作によって、モニタ輝度が最小のディマー画面を表示させることができる。また、ユーザは、周囲が明るい状況であっても、ディマー画面を確認しながら、モニタ輝度の最小値をセットできる。
【００５３】
なお、本実施の形態における記述内容は、本発明の趣旨を逸脱しない範囲で適宜変更可能である。
【００５４】
【発明の効果】
本発明によれば、操作指示部による表示指示があると、光センサによる光量検出を停止させて、設定部により設定された輝度の最小値に基づいて表示部の輝度を制御することにより、外光の光量に関わらず、簡易な操作によって、輝度が最小になる画面を表示部に表示させることが可能になる。
【図面の簡単な説明】
【図１】本発明の実施の形態に係るナビゲーション装置１００の主要部構成を示すブロック図である。
【図２】メモリ部８に記憶される輝度変化曲線１３を示す図である。
【図３】操作表示部６に表示される画質調整画面を示す図である。
【図４】ナビゲーション装置１００により実行される輝度制御処理を示すフローチャートである。
【図５】ナビゲーション装置１００により実行されるディマーテスト処理を示すフローチャートである。
【符号の説明】
１　　マイクロコンピュータ
２　　光センサ部
３　　Ａ／Ｄコンバータ
４　　操作入力部
５　　バックライト制御部
６　　操作表示部
６１　バックライト部
６２　モニタ表示部
６３　タッチパネル
７　　タイマー部
８　　メモリ部
９　　地図情報記憶部
１０　ナビゲーション部
１１　ＴＶ部
１２　スピーカ部
１３　輝度変化曲線
１４　レベルインジケータバー
１５　ディマーテストキー
１００　ナビゲーション装置
【図１】
2004133248.tif 000003
【図２】
2004133248.tif 000004
【図３】
2004133248.tif 000005
【図４】
2004133248.tif 000006
【図５】
2004133248.tif 000007